(57)【要約】【課題】  凍結範囲を必要最小限とし、冷却媒体や凍結時間、コアリング工程や削孔水冷却設備などの削減による凍結サンプリングのコストの低減できる地盤試料の採取装置及び地盤試料の採取方法を提供すること。【解決手段】  先端部に調査対象地盤を掘削可能な掘削手段を有する凍結管と、前記凍結管内部に設けられ、前記調査対象地盤を凍結させる冷却媒体を供給する送液部と、前記送液部から供給された冷却媒体を回収する返液部と、前記凍結管を通過して前記掘削手段に削孔水を供給する送水部と、前記掘削手段に取り込んだ土砂と混和した削孔水を回収する排水部とで構成されることを特徴とする。【選択図】  図１
2020200725.tif 000002
【特許請求の範囲】
【請求項１】
先端部に調査対象地盤を掘削可能な掘削手段を有する凍結管と、前記凍結管内部に設けられ、前記調査対象地盤を凍結させる冷却媒体を供給する送液部と、前記送液部から供給された冷却媒体を回収する返液部と、前記凍結管を通過して前記掘削手段に削孔水を供給する送水部と、前記掘削手段に取り込んだ土砂と混和した削孔水を回収する排水部とで構成される地盤試料の採取装置。
【請求項２】
前記凍結管は、前記排水部を中央に配した多重管構造であることを特徴とする請求項１に記載の地盤試料の採取装置。
【請求項３】
前記凍結管は、内管、中管及び外管の三重管構造に形成され、前記中管の形状を前記外管の内周面に対して少なくとも２点以上で接する非円形断面に形成したことを特徴とする請求項１又は請求項２のいずれかに記載の地盤試料の採取装置。
【請求項４】
前記凍結管には耐寒グリスが塗布され、前記凍結管の外周部には金属製又は樹脂製の略円筒形の外殻をさらに備えることを特徴とする請求項１乃至請求項３のいずれかに記載の地盤試料の採取装置。
【請求項５】
調査対象地盤内にセルフボーリングによって凍結管を配置する凍結管挿入工程と、前記凍結管に前記調査対象地盤を凍結させる冷却媒体を供給し、前記凍結管の周囲の前記調査対象地盤を凍結させる地盤凍結工程と、前記地盤凍結工程で凍結させた凍結土塊を前記調査対象地盤から引き抜く地盤採取工程とで構成され、前記凍結管内部には、前記調査対象地盤を凍結させる冷却媒体を供給する送液部と、前記送液部から供給された冷却媒体を回収する返液部と、前記凍結管を通過して前記凍結管の先端部に設けられた掘削手段に削孔水を供給する送水部と、前記掘削手段に取り込んだ土砂と混和した削孔水を回収する排水部が設けられ、前記地盤凍結工程は、前記送液部及び返液部を液相の窒素で充満し、前記調査対象地盤を略円柱状に形成する地盤試料の採取方法。
【請求項６】
載荷板によって加圧した前記凍結管の周囲の前記調査対象地盤を過冷却まで冷却する過冷却工程と、前記過冷却工程で過冷却された前記調査対象地盤に衝撃と減圧を加え瞬間凍結させる瞬間凍結工程を行い、前記瞬間凍結工程後に、前記送液部及び返液部を液相の窒素で充満し、前記調査対象地盤を略円柱状に形成する前記地盤凍結工程を行うことを特徴とする請求項５に記載の地盤試料の採取方法。
【発明の詳細な説明】
【技術分野】
【０００１】
本発明は、特に液状化特性に係わる地盤特性を把握するために、地盤から土質試料を乱さずに凍結した地盤試料を採取する地盤試料の採取装置及び地盤試料の採取方法に関する。
【背景技術】
【０００２】
地震時に液状化を生じるような緩い砂地盤について、その地盤特性を評価するために試料を採取する場合、通常のチューブサンプリングでは地盤を乱してしまうことがある。このため、国内では１９８０年代に採取対象地盤をあらかじめ凍結させた後に掘削し、乱れを最小限とした試料採取方法（凍結サンプリング）が開発され、実施されてきた。
【０００３】
従来の一般的な凍結サンプリング手法は、例えば特許文献１にあるように、ボーリングで作成した凍結孔に凍結装置を挿入し、凍結孔の周囲を広く凍結させ、その凍結させた土塊を削孔して円筒状の土質試験試料を採取するものであった。また、特許文献２には、ボーリングで作成した凍結孔に凍結装置を挿入し、凍結孔の周囲を凍結させた後に、凍結管を含む凍結土塊を大口径に掘削（オーバーコアリング）して地上に引き上げた後に土質試験試料を採取する部分凍結手法が開示されている。
【０００４】
これらの方法は、いずれも掘削土塊を掘削する必要があるが、その掘削時に用いる削孔水（泥水）についても０℃未満に冷却する必要があり、地盤の凍結とは別に冷却する設備が必要であった。このような従来の凍結サンプリング手法では、凍結や試料採取に要する時間や設備が大がかりとなり、莫大な費用が必要となる点が課題となっていた。
【０００５】
一方、特許文献３では、凍結管に地盤の掘削機能を付加することにより、凍結孔を事前にボーリングする工程を削減するとともに、地盤の緩みを最小限にすることを可能としたが、土質試料の採取にあたっては、従来の手法と同様に別途掘削をする必要があった。
【０００６】
特許文献４では、自己掘削式の凍結管を用いた凍結手法と、掘削を必要とせず凍結土塊を引き抜く手法を用いることにより、化学的な分析に用いる土質試料の簡便な採取を可能としたが、強度に係わる土質試験試料を採取するためには、試験試料の直径を従来の２分の１以下にするなど、標準的な試験を行うことは困難であった。
【０００７】
なお、凍結サンプリングは、地盤を地下水と供に凍結させることから、透水性の低い粘性土などの地盤では氷の膨張によって地盤を乱してしまうことが知られており、施工現場では、例えば特許文献５のように地下水に薬物を注入して膨張を抑制する手法などが開発されているが、同様の手法では土質試験を行うことができないため、凍結サンプリングは透水性の高い砂〜礫地盤のみでの適用となっており、採取対象となる地盤・土質に制限があった。
【０００８】
土質試験においては、現在においても円柱形の試験試料の形状が一般的であるが、１９９０年代末には円筒状の試験試料を用いた中空ねじりせん断試験が基準化されている。中空ねじりせん断試験試料は、円柱状の試料を加工して作成しており、地盤から中空試料を採取することはなされていない状況である。
【０００９】
一方、２０００年代になると食品業界では、特許文献６及び特許文献７に示される凍結手法により、食材を細胞レベルで損傷を抑制する凍結技術が確立され、食品の保存と流通について劇的な変化がもたらされているが、地盤の凍結手法については液化窒素等の冷却媒体を地下で循環させる従来手法から変化はない状況である。
【先行技術文献】
【特許文献】
【００１０】
【特許文献１】特開昭６１−２５１７４２号公報
【特許文献２】特開昭６０−１００７３７号公報
【特許文献３】特開平０７−１２７３６８号公報
【特許文献４】特開２０１８−１４５５９９号公報
【特許文献５】特開昭５３−０７３８１７号公報
【特許文献６】特開２００１−８８３４７号公報
【特許文献７】特開２００５−６１７２９号公報
【発明の概要】
【発明が解決しようとする課題】
【００１１】
本発明は以上のような従来の欠点に鑑み、凍結範囲を必要最小限とし、冷却媒体や凍結時間、コアリング工程や削孔水冷却設備などの削減による凍結サンプリングのコストの低減できる地盤試料の採取装置及び地盤試料の採取方法を提供することを目的としている。
また、従来凍結による採取ができなかった細粒分を含む砂質土についても、土の構造を破壊しない地盤凍結工程を追加することで、凍結サンプリングによって乱さずに採取できる適用範囲の拡大を可能とする地盤試料の採取装置及び地盤試料の採取方法を提供することを目的としている。
【００１２】
すなわち、従来莫大な費用を必要とした凍結サンプリングについて、地盤を凍結させるまでの工程や凍結範囲、凍結試料の採取方法などを見直すことで、凍結サンプリングのコストを大幅に低減することを課題としている。また、従来凍結サンプリングで適用できなかった細粒分を含む砂質土についても土の構造を乱さない凍結を行うことにより、乱さずに凍結サンプリングできる適用範囲を拡大すること目的としている。
【課題を解決するための手段】
【００１３】
上記目的を達成するために、本発明では従来の円柱状の土質試験用供試体ではなく、中空形状の土質試験供試体の採取に特化した。本発明の請求項１に記載の地盤試料の採取装置は、先端部に調査対象地盤を掘削可能な掘削手段を有する凍結管と、前記凍結管内部に設けられ、前記調査対象地盤を凍結させる冷却媒体を供給する送液部と、前記送液部から供給された冷却媒体を回収する返液部と、前記凍結管を通過して前記掘削手段に削孔水を供給する送水部と、前記掘削手段に取り込んだ土砂と混和した削孔水を回収する排水部とで構成されることを特徴とする。  
【００１４】
請求項２に記載の地盤試料の採取装置の前記凍結管は、前記排水部を中央に配した多重管構造であることを特徴とする。
【００１５】
請求項３に記載の地盤試料の採取装置の前記凍結管は、内管、中管及び外管の三重管構造に形成され、前記中管の形状を前記外管の内周面に対して少なくとも２点以上で接する非円形断面に形成したことを特徴とする。
【００１６】
請求項４に記載の地盤試料の採取装置の前記凍結管には耐寒グリスが塗布され、前記凍結管の外周部には金属製又は樹脂製の略円筒形の外殻をさらに備えることを特徴とする。
【００１７】
請求項５に記載の地盤試料の採取方法は、調査対象地盤内にセルフボーリングによって凍結管を配置する凍結管挿入工程と、前記凍結管に前記調査対象地盤を凍結させる冷却媒体を供給し、前記凍結管の周囲の前記調査対象地盤を凍結させる地盤凍結工程と、前記地盤凍結工程で凍結させた凍結土塊を前記調査対象地盤から引き抜く地盤採取工程とで構成され、前記凍結管内部には、前記調査対象地盤を凍結させる冷却媒体を供給する送液部と、前記送液部から供給された冷却媒体を回収する返液部と、前記凍結管を通過して前記凍結管の先端部に設けられた掘削手段に削孔水を供給する送水部と、前記掘削手段に取り込んだ土砂と混和した削孔水を回収する排水部が設けられ、前記地盤凍結工程は、前記送液部及び返液部を液相の窒素で充満し、前記調査対象地盤を略円柱状に形成することを特徴とする。
【００１８】
請求項６に記載の地盤試料の採取方法の前記地盤凍結工程は、載荷板によって加圧した前記凍結管の周囲の前記調査対象地盤を過冷却まで冷却する過冷却工程と、前記過冷却工程で過冷却された前記調査対象地盤に衝撃と減圧を加え瞬間凍結させる瞬間凍結工程を行い、前記瞬間凍結工程後に、前記送液部及び返液部を液相の窒素で充満し、前記調査対象地盤を略円柱状に形成することを特徴とする。
【発明の効果】
【００１９】
以上の説明から明らかなように、本発明にあっては次に列挙する効果が得られる。
（１）請求項１及び請求項５に記載された各発明においては、セルフボーリングすることにより設置された凍結管を中心にその周囲を凍結することで、中空形状に凍結した地盤試料を採取することができる。
したがって、凍結範囲を必要最小限とすることで、冷却媒体や凍結時間を削減する事ができる。
すなわち、外径２０ｍｍ程度のセルフボーリング機能と凍結機能を有する凍結装置によって、凍結管挿入のためのボーリング工程を省略し、さらに、凍結管を芯部分とした中空形状の土質試験供試体の採取に特化することで、凍結範囲を最小限に縮小し、凍結土塊をコアリングすることなく引き抜ける略円柱状の形状に形成する凍結方法によってコアリングの工程と削孔水冷却設備を省略するなどにより、従来の凍結サンプリングより大幅なコストの削減を可能とした。
（２）また、従来凍結サンプリングの対象とならなかった細粒分を含む砂質土についても過冷却を経た瞬間凍結手法を用いることにより、土の構造を乱さない凍結を行うことができ、これまで乱さずに採取することが困難であった地盤についての凍結サンプリングの適用を大幅に拡大することができる。
すなわち、地盤に圧力を加えた状態での過冷却工程と、圧力の除荷を伴う瞬間凍結工程の追加により、細粒分を含む砂質土の構造を破壊することなく凍結させる凍結方法によって、従来凍結サンプリングを適用できなかった細粒分を含む砂質土を乱さずに採取することを可能とした。
（３）請求項２及び請求項３に記載された発明も前記（１）〜（２）と同様な効果が得られる。
（４）請求項４に記載された発明も前記（１）〜（２）と同様な効果が得られるとともに、凍結した地盤試料から凍結管を容易に抜管することができる。
（５）請求項６に記載された発明も前記（１）〜（２）と同様な効果が得られるとともに、調査対象地盤を略円柱状に形成することができ、容易に地盤から凍結土塊を引き抜くことができる。
【図面の簡単な説明】
【００２０】
図１乃至図７は本発明の第１の実施形態を示す説明図である。
図８乃至図１１は本発明の第２の実施形態を示す説明図である。
【図１】第１実施形態の地盤試料の採取装置の概要図。
【図２】土質試験試料と中空試験試料の説明図。（ａ）円柱状土質試験試料。（ｂ）中空の土質試験試料。
【図３】凍結管先端部の概要説明図。（ａ）縦断面図。（ｂ）横断面。
【図４】凍結管の凍結部横断面形状概念図。
【図５】三重管式セルフボーリング凍結管の凍結部横断面形状概要図説明図。
【図６】第１実施形態の地盤試料の採取方法の工程図。
【図７】地盤凍結工程の概要説明図。
【図８】第２実施形態の地盤試料の採取装置の概要図。
【図９】第２実施形態の地盤試料の採取方法の工程図。
【図１０】地盤凍結工程の予備作業の概要説明図。
【図１１】凍結管の凍結部横断面形状概要図。
【発明を実施するための形態】
【００２１】
以下、図面に示す本発明を実施するための形態により、本発明を詳細に説明する。
図１乃至図７に示す本発明を実施するための第１の形態において、１は図７で示す調査対象地盤２から地盤工学会基準に示される土質試験供試体を得ることができる地盤試料の採取装置である。
【００２２】
この地盤試料の採取装置１は、図１に示すように、先端部に調査対象地盤２を掘削可能な掘削手段３を有する凍結管４と、前記凍結管４の内部に設けられ、前記調査対象地盤２を凍結させる冷却媒体を一方向に供給する送液部５と、前記送液部５からさらに同方向に供給された冷却媒体を回収する返液部６と、前記凍結管４を通過して前記掘削手段３に削孔水を供給する送水部７と、前記掘削手段３内で土砂と混和した削孔水を回収する排水部８と、前記凍結管４の上端部付近に設けられた円盤状の載荷板９とで構成されている。
この凍結管４は、全体として少なくとも内管１０と外管１１を有する多重管で略円筒形状に形成され、その先端部（下端部）に掘削手段３を備えており、また、この凍結管４の内部に送液部５を備えているため、周囲の凍結部分を供試体とする中空試料の採取に特化している。
【００２３】
凍結管４の上部には、凍結管４の送液部５、返液部６、送水部７及び排水部８にそれぞれ連通する送液管１２、返液管１３、送水管１４及び排水管１５がそれぞれ接続されている。
【００２４】
ところで、図２に示すような円柱状の供試体を採取する場合、必然的に凍結させる範囲は円柱状供試体の直径の２倍以上＋凍結管直径となるが、中空供試体の場合は、凍結管を内空部分とすることで試料の直径程度の凍結範囲にすることができる。地盤工学会基準による砂地盤での標準的な中空試料は外径７０ｍｍ、内径３０ｍｍであるため、採取後の凍結溶解による緩みに備えた予備径を考慮しても、直径１００ｍｍ程度の凍結範囲に納めることが可能である。
【００２５】
従来の一般的な凍結サンプリング手法によって直径７０ｍｍの供試体を得るためには、直径６６ｍｍの凍結孔を中心に直径約３４０ｍｍ以上の範囲を凍結させる必要があったため、直径で３分の１以下にすることができ、１時間程度で凍結が可能である。
【００２６】
凍結管４の先端部は、図３に示すように、シューに内接した２重管状の形状となっており、内側（中心部）の空間は排水部８となっており、外側（中管１６と内管１０の間）の空間は送水部７となる。この先端分には地盤凍結のための冷却媒体循環機能はもたせず、地盤へ貫入させるための鋭利な先端を持つシューを掘削手段３として用い、このシュー等による送水機能と、内管１０による排水機能を有する。なお、凍結機能を有する部位（送液部５等がある部位）を凍結部という。
【００２７】
排水部８は中管１６よりも内管１０とすることで粒子が通過できる最大径を大きくすることができる。また、水圧により外周から掘削された土砂が中央の管内抵抗の小さい大径の排水部８に流れる構造とすることで、削孔水が掘削手段３の外側に漏れにくくする。
このように削孔水が掘削手段３の外部にもれないようにすることで、シュー等の掘削手段３内部に削孔水を供給し、調査対象地盤２を削孔するとともに、この削孔によって生じた土砂（掘削手段３内に取り込んだ土砂）と削孔水とが混和した状態の液体（土砂と混和した削孔水）を排水部８を介して効率よく排出することができる。
【００２８】
一方、凍結管４の先端部を除く部位（凍結部）は、その断面が多重管形状等となっており、例えば、図４に示すような４重管構造とすることも可能であるが、凍結管４の直径が２ｃｍ程度に限定された場合には多重管を構成するパイプは肉薄となり、流体が通過するクリアランスも狭いものになってしまう。また、多重管はそれぞれに接していないため剛性は低く、凍結管貫入時に曲げが生じると流体の通過経路に閉塞が生じる可能性もある。
【００２９】
そのため、本開発で目的とするセルフボーリング式の凍結管では、図５に示すような、凍結部を内管１０、中管１６、外管１１を有する三重管で、かつ、中管１６を外管１１の内周面に対して面接触状態で内接させ、かつ、内管１０の外周面に対して外接する楕円形状とすることで、凍結管４の断面を５経路に分割でき、送液部５、返液部６、送水部７及び排水部８の４系統を確保することができる。また、４重管よりもそれぞれの管を肉厚にできる上、内管１０、中管１６、外管１１が固定されるため、凍結管４全体としての剛性を高くすることができる。凍結管４の剛性を確保するためには、内管１６が内管１０ならびに外管１１と接する点数は４点以上が望ましく、本実施形態では図９に示す６点接点としている。
【００３０】
前記内管１０は、円筒形状の管で、その内側の空間が排水部８となっており、この排水部８は排水管１５に連通している。排水管１５は、内管１０を上方へ延伸して露出させ、排水管としてもよいし、内管１０とは別体で排水管１５を形成し、内管１０に固定的又は着脱可能に接続してもよい。
【００３１】
中管１６は、本実施形態では、略楕円形状に形成されており、その長径部分の外周面が外管１１の内周面に少なくとも２点以上、本実施形態においては２点で接触し、かつ、短径部分の内周面が内管１０の外周面に対して少なくとも２点以上、本実施形態においては２点で接触し、内管１０と外管１１の間の空間を断面視において４つの区画に区切っている。本実施形態では、この４つの区画（４系統）のうち、２つを送水部７とし、残りの２区画をそれぞれ送液部５と返液部６としている。
【００３２】
外管１１は、円筒形状の管で、その先端部はシューが取り付けられ、掘削手段３として用いられる。
【００３３】
ところで、凍結管４を中心とした凍結土塊２ａを、そのまま中空の供試体とするためには、直径３０ｍｍ未満の凍結管４とし、かつ、凍結管４挿入時に地盤を乱さないセルフボーリングが可能な凍結管４とする必要がある。また、供試体の内空は試験前に整形を行って最終的な直径にしあげるため、凍結管４の外径は２０ｍｍ程度とすることが望ましく、本実施形態のような構成とすることにより、排水部８の内径を８ｍｍ程度確保した上で十分な剛性を確保することを実現した。
この凍結管４の構造により、２〜５ｍｍ程度の礫を含む砂質土についても速やかに掘削することを可能とした。
【００３４】
送液部５は、送液管１２に連通しており、この送液部５には冷却媒体が冷却媒体供給源（図示せず）から送液管１２を介して供給される。この送液部５を通過し冷却媒体は、送液部５に連通する返液部６及び返液管１３を通過して地上に排出される。
【００３５】
ところで、凍結範囲を最小限としながら、かつオーバーコアリング無しに凍結土塊２ａを地盤から引き抜き回収するためには、凍結土塊２ａの形状を略円柱状に制御することが必要である。通常の凍結手法のように、凍結管４内に液化窒素を注入し、気化した窒素ガスを排出する方法では液相部分と気相部分での温度差が大きく、底面を大とした略円錐形の凍結土塊となるため、凍結管４（送液部５及び返液部６）内を液相で充満した状態を保持するように注入圧と排出温度を制御方法とすることで、略柱状の凍結土塊２ａを安定して作成することを可能とした。
【００３６】
送水部７は、送水管１４と連通しており、削孔水供給源（図示せず）から送水管１４を介して供給された削孔水を凍結管４の先端部に設けられた掘削手段３に供給する。掘削時に削孔水を供給しながら掘削手段３で調査対象地盤２を掘削し、掘削手段３内で土砂と混和した削孔水を排水部８及び排水部８に連通する排水管１５から外部へ排出する。
また、凍結管４には耐寒グリス（図示せず）が塗布され、凍結管４の外周部には金属製又は樹脂製の略円筒形の外殻１７が設けられている。
【００３７】
通常、地上に回収した凍結土塊２ａを供試体に整形するためには凍結管４を抜管する必要があるが、凍結管４と土塊との凍着は強固であるため抜管することはできず、安易に凍結管４を加熱すると試料が解氷してしまう。
【００３８】
この外殻１７を用いることにより、外殻１７と凍結土塊２ａが強固に凍着していても、外殻１７自体は凍結管４から容易に外すことができるため、凍結土塊２ａから外殻ごと凍結管４を抜管できるので、凍結土塊２ａが解氷する前に凍結管４を抜管することができる。この外殻１７は厚さ０．１ｍｍ以下の金属製または樹脂製とすることで、供試体内空をトリミングする際に除去することができる。
【００３９】
載荷板９は、円盤状の部材で、凍結管４の上端部付近にフランジ状になるように設けられており、凍結管４挿入後、ボーリング掘削で除去された土圧相当を載荷板９で孔底に載荷し、ボーリング掘削する前の地盤条件を再現する。
【００４０】
なお、この凍結管４を用いて地盤試料の採取を行う本発明の地盤試料の採取方法１８としては、図６に示すように、調査対象地盤２内にセルフボーリングによって凍結管４を配置する凍結管挿入工程１９と、前記凍結管４に調査対象地盤２を凍結させる冷却媒体を供給し、前記凍結管４の周囲の前記調査対象地盤２を凍結させる地盤凍結工程２０と、前記地盤凍結工程２０で凍結させた凍結土塊２ａを前記調査対象地盤２から引き抜く地盤採取工程２１とで構成されている。
【００４１】
凍結管挿入工程１９では、前述したように凍結管４の先端部に設けられた掘削手段３によって調査対象地盤２を掘削し、凍結管４の全体を調査対象地盤２内へ配置する。ところで、調査対象地盤２が地表付近である場合には、地表から凍結管４を地中へ挿入すればよいが、地表からある程度下方の地盤を調査対象地盤２とする場合には、その調査対象地盤２付近まで載荷板９等が挿入できるような大きめの孔を形成し、その孔底から凍結管４をセルフボーリングによって調査対象地盤２へ挿入する。
【００４２】
地盤凍結工程２０では、様々な冷却媒体を使用することができるが、本実施形態では、凍結管４の送液部５及び返液部６内を液相の窒素で充満した状態を保持するべく排出時の温度をマイナス１９６℃以下となるよう調整し、前記調査対象地盤２を略円柱状の凍結土塊２ａに形成している。
【００４３】
具体的には、図７に示すように、冷却媒体は凍結管４に注入する箇所（送液管１２）と排出する箇所（返液管１３）に温度計２２を設けるとともに、載荷板９にも調査対象地盤２の温度を測定する温度計２２を設けて温度管理を行い、送液管１２に設けた圧力計２３を参照し、返液管１３での冷却媒体の温度が冷却媒体の沸点以下になるように注入圧を制御することで中空供試体を切り出すことに適した略円柱状の凍結土塊２ａを形成させる。また、凍結管４の先端部には冷却機能を配置しない構造とすることで、先端部は略逆錐形の引き抜きやすい形状とすることができる。
【００４４】
地盤採取工程２１では、土中から凍結させた調査対象地盤（凍結土塊２ａ）を引き抜き、外殻１７ごと凍結管４から凍結土塊２ａを抜管し、調査対象地盤２を採取する。
【００４５】
［発明を実施するための異なる形態］
次に、図８乃至図１１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４６】
図８乃至図１１に示す本発明を実施するための第２の形態は、細粒分を含む砂質土を対象とした形態である。細粒分を含まない砂質土を対象とした前記本発明を実施するための第１の形態と主に異なる点は、ロングシュー型の掘削手段３Ａを用いた凍結管４Ａにした点で、このような凍結管４Ａを用いた地盤試料の採取装置１Ａ及びこのような凍結管４Ａを用いて地盤凍結工程２０Ａを行うとともに、地盤凍結工程２０Ａによる調査対象地盤２の本凍結の前に過冷却工程２７及び瞬間凍結工程２８からなる予備作業を行う地盤試料の採取方法１８Ａにすることによって、従来の凍結サンプリングでは適用できなかった細粒分を含む砂質土について、前記本発明を実施するための第１の形態と同様な効果が得られる。
【００４７】
本実施形態の凍結管４Ａは、砂粒子（最大径２ｍｍ）を排出するために十分な内径８ｍｍの内管を、花弁状の形状の中管１６Ａが外管１１と内管１０に接することで高い剛性を有し、４系統の流体の通過経路を確保している。
【００４８】
調査対象地盤２に細粒分が含まれる場合、前記本発明を実施するための第１の形態での地盤凍結工程では凍結時の氷の膨張で土の構造が破壊されてしまう。この破壊される現象を防ぐために地盤凍結工程２０Ａを行う前に凍結対象範囲を過冷却状態にする過冷却工程２７を行い、その後、地盤に衝撃を与えるとともに載荷板の除荷による減圧をし、瞬間凍結させる瞬間凍結工程２８を行う。
【００４９】
その後地盤凍結工程２０Ａを行うことにより、地盤試料採取範囲を瞬間凍結させ、地盤凍結工程２０Ａの本凍結によって略円柱状の凍結土塊２ａを形成する。
【００５０】
セルフボーリング凍結管４Ａの先端に設けられたロングシュー型の掘削手段３Ａを用いて調査対象地盤２に凍結管４Ａを挿入する。凍結管４Ａ挿入後、ボーリング掘削で除去された土圧相当を載荷板９で孔底に載荷し、送水部７（又は送水管１４）と排水部８（又は排水管１５）を循環路２４で接続するとともに、この循環路２４に冷却装置２５を設けて−１０℃〜０℃の範囲内に調整した冷却媒体を削孔水の経路（送水部７と排水部８）に循環させる。このとき、循環路２４に設けられたポンプ２６で冷却媒体を送水部７と排水部８に循環させ、調査対象地盤２が氷点下になるまで循環させる。
【００５１】
過冷却後に載荷板９および凍結管４Ａに衝撃を与え、さらに載荷板９の加圧を除荷して調査対象地盤２を減圧する。その後本凍結を行って凍結土塊２ａを十分に冷却する。
なお、凍結時の減圧による地盤の変形が予想される場合や、過冷却時の地盤温度が−５℃を下回るほど十分に冷却されている場合には載荷板の除荷を行わずに衝撃のみで凍結させることも可能である。
【００５２】
本発明に用いる凍結管は図１１に示すような断面形状に形成しても良い。このような花弁状の形状の中管が外管と内管に接することで高い剛性を有し、４系統の流体の通過経路を確保できる凍結管とすることもできる。
また、本発明の実施形態では、外殻を用いたものについて説明したが、必ずしも外殻を用いなくてもよい。
【産業上の利用可能性】
【００５３】
本発明は地盤試料を凍結させて採取し、試験用の供試体を取得する産業等で利用される。
【符号の説明】
【００５４】
１、１Ａ：地盤試料の採取装置、
２：調査対象地盤、                ２ａ：凍結土塊、
３、３Ａ：掘削手段、
４、４Ａ：凍結管、                ５：送液部、
６：返液部、                      ７：送水部、
８：排水部、                      ９：載荷板、
１０：内管、                      １１：外管、
１２：送液管、                    １３：返液管、
１４：送水管、                    １５：排水管、
１６、１６Ａ：中管、              １７：外殻、
１８、１８Ａ：地盤試料の採取方法、
１９：凍結管挿入工程、            ２０、２０Ａ：地盤凍結工程、
２１：地盤採取工程、              ２２：温度計、
２３：圧力計、                    ２４：循環路、
２５：冷却装置、                  ２６：ポンプ、
２７：過冷却工程、                ２８：瞬間凍結工程。
【図１】
2020200725.tif 000003
【図２】
2020200725.tif 000004
【図３】
2020200725.tif 000005
【図４】
2020200725.tif 000006
【図５】
2020200725.tif 000007
【図６】
2020200725.tif 000008
【図７】
2020200725.tif 000009
【図８】
2020200725.tif 000010
【図９】
2020200725.tif 000011
【図１０】
2020200725.tif 000012
【図１１】
2020200725.tif 000013